(57)【要約】【課題】ウッドデッキへの採用においては、隣接するデッキ材の対向間隙内に全体が納まる体裁のよい安全性に優れた取付け状態とした上で、デッキ材を上方に回動させる簡単な操作により落下物の回収用空間を形成することができる開閉具を提供することである。【解決手段】隣接するデッキ材２１の対向側面のそれぞれにヒンジ受け具６０を取付ける。ヒンジ受け具６０のそれぞれに形成されたガイド凹部６５内にヒンジ７０の開閉可能な一対のヒンジ片７１のそれぞれをスライド自在に挿入して、デッキ材２１の対向面間に形成された間隙内にヒンジ７０の全体が収容される状態でも、一方のデッキ材２１を他方のデッキ材２１の上面に重なる位置まで回動させることができるようにする。【選択図】図１
2011012400.tif 000002
【特許請求の範囲】
【請求項１】
一対のヒンジ受け具と、その一対のヒンジ受け具に支持されるヒンジとからなり、前記一対のヒンジ受け具のそれぞれが、帯状の支持板部の長さ方向の両端部に、その支持板部の片面側に向けて折曲げられて、前記支持板部の片面側にガイド凹部を形成する一対の折曲げ片を設け、その折曲げ片のそれぞれ端部から外側方に向けて取付片部を設けた構成とされ、前記ヒンジが、前記ヒンジ受け具の支持板部の片面側に形成されたガイド凹部にスライド自在に挿入される一対の板状のヒンジ片を有し、その一対のヒンジ片をヒンジ軸を中心に開閉自在に連結した構成とされた開閉具。
【請求項２】
前記ヒンジが、扁平な筒体内に挿入された２本のヒンジ軸を有し、一方のヒンジ軸が一方のヒンジ片の一側縁部に保持され、他方のヒンジ軸が他方のヒンジ片の一側縁部に保持された２軸ヒンジからなる請求項１に記載の開閉具。
【請求項３】
前記ヒンジが、一対のヒンジ片が共通のヒンジ軸を中心にして開閉自在とされた１軸ヒンジからなる請求項１に記載の開閉具。
【請求項４】
前記支持板部の片面側に切り起こし抜止め片を設け、ヒンジ片には、その抜止め片が挿入される窓を形成し、その窓の前記抜止め片の先端と対向する内周一面が抜止め片の先端に当接する範囲内でヒンジ片をスライド自在とした請求項１乃至３のいずれかの項に記載の開閉具。
【請求項５】
複数の根太を平行に配置して床下地を形成し、その床下地上に、前記根太に対して交差方向に長く延びる多数のデッキ材を、隣接するデッキ材間に間隔をおいて配置し、デッキ材のそれぞれ側部を前記根太に着脱自在に取付けたウッドデッキにおいて、
前記隣接するデッキ材の対向部間に、請求項１乃至４のいずれかの項に記載の開閉具を、折り畳み状態とされたヒンジのヒンジ軸が上位に位置し、ヒンジの全体がデッキ材の上面から下方に位置するよう組込んで、一方のヒンジ受け具を一方のデッキ材の側面にねじ止めし、他方のヒンジ受け具を他方のデッキ材の側面にねじ止めしたことを特徴とするウッドデッキ。
【発明の詳細な説明】
【技術分野】
【０００１】
この発明は、一対の部材を相対的に回動自在に連結する開閉具およびその開閉具を用いたウッドデッキに関する。
【背景技術】
【０００２】
屋外に設けられるウッドデッキは、普通、図１２および図１３に示すように、地面等の基礎面上に設けられた根太受け１により根太１１を高さ調整可能に支持し、その根太１１の複数を平行に配置して床下地を形成し、その床下地上に、上記根太１１に対して交差方向に長く延びる多数のデッキ材２１を、隣接するデッキ材２１間に間隔をおいて平行に配置し、隣接するデッキ材２１の対向側面に形成された溝２２に跨るようにして組込まれた複数の押え金具３１のそれぞれを、隣接するデッキ材２１間に形成された直線溝状の間隙上から根太１１にねじ込まれるねじ４１の締め付けにより根太１１に固定して、デッキ材２１のそれぞれを長さ方向および幅方向に非可動の支持としている。
【０００３】
ここで、根太受け１は、座板２にスタッドボルト３を突設し、そのスタッドボルト３にねじ込まれたナット４によって支持板５を支持し、上記ナット４の回転により支持板５を高さ調整し得るようにしている。
【０００４】
また、根太１１としては種々のものが存在するが、ここでは、ウェブ１２の両側に下向きの対向一対の側板１３を設け、各側板１３の下縁にフランジ１４を外向きに設けたものが用いられている。この根太１１はフランジ１４が根太受け１の支持板５で支持されて、ねじの締め付けにより、支持板５に固定されている。
【０００５】
さらに、押え金具３１も種々のものが存在するが、ここでは、隣接するデッキ材２１の対向下部間に挿入される断面コの字折曲げ部３２の上端にデッキ材２１の溝２２の下面を押える押え板部３３を設け、その押え板部３３の両側に上向きの折曲げ片部３４を設けたものが採用されており、上記コの字折曲げ部３２がねじ４１の締め付けによって根太１１のウェブ１２に固定されている。
【０００６】
上記の構成からなるウッドデッキにおいては、隣接するデッキ材２１間の間隙が広く成り過ぎると、歩行の際にデッキ材２１の上面両側のエッジにつまずいて転倒する危険があるため、その間隙は約５ｍｍ程度とされている。
【発明の概要】
【発明が解決しようとする課題】
【０００７】
ところで、上記ウッドデッキにおいては、隣接するデッキ材２１の対向間隙が約５ｍｍ程度であるため、その対向間隙に万一お金等の貴重品を落した場合、デッキ材２１をウッドデッキ上に取外して、デッキ材２１の幅に対応する回収用空間を形成する必要が生じる。このとき、取外しの対象となるデッキ材２１の両側の複数の押え金具３１を全て取外す必要があるため、回収用空間の形成に非常に手間がかかるという不都合があった。
【０００８】
ここで、隣接する一対のデッキ材２１を蝶番によって開閉自在に連結することにより、デッキ材２１の片側に位置する押え金具３１を取外すことにより、一方のデッキ材２１を他方のデッキ材２１の上面に向けて回転させることによって回収用空間を簡単に形成することができるため、上記の不都合を解消する上において極めて有効であるが、蝶番は、ヒンジ軸部側の側部をウッドデッキの上面より上側に位置するよう突出させて取付ける必要があるため、ウッドデッキ上での歩行の際に、ヒンジ軸部の側部につまずいて転倒する危険がある。
【０００９】
この発明の課題は、ウッドデッキへの採用においては、隣接するデッキ材の対向間隙内に全体が納まる体裁のよい安全性に優れた取付け状態とした上で、デッキ材を上方に回動させる簡単な操作により落下物の回収用空間を形成することができる開閉具およびその開閉具を用いたウッドデッキを提供することである。
【課題を解決するための手段】
【００１０】
上記の課題を解決するために、この発明に係る開閉具においては、一対のヒンジ受け具と、その一対のヒンジ受け具に支持されるヒンジとからなり、前記一対のヒンジ受け具およびヒンジを下記の構成としたのである。
【００１１】
すなわち、ヒンジ受け具においては、帯状の支持板部の長さ方向の両端部に、その支持板部の片面側に向けて折曲げられて、前記支持板部の片面側にガイド凹部を形成する一対の折曲げ片を設け、その折曲げ片のそれぞれ端部から外側方に向けて取付片部を設けた構成としたのである。
【００１２】
一方、ヒンジにおいては、ヒンジ受け具の支持板部の片面側に形成されたガイド凹部にスライド自在に挿入される一対の板状のヒンジ片を有し、その一対のヒンジ片をヒンジ軸を中心に開閉自在に連結した構成としたのである。
【００１３】
この場合、ヒンジは、扁平な筒体内に挿入された２本のヒンジ軸を有し、一方のヒンジ軸が一方のヒンジ片の一側縁部に保持され、他方のヒンジ軸が他方のヒンジ片の一側縁部に保持された２軸ヒンジからなるものであってもよく、あるいは、一対のヒンジ片が共通のヒンジ軸を中心にして開閉自在とされた１軸ヒンジからなるものであってもよい。
【００１４】
上記の構成からなる開閉具は、床下収納庫の蓋体や天井点検口の蓋体等を開閉自在に支持する場合に用いることができる。例えば、床下収納庫の蓋体を開閉自在に支持する場合は、床板に形成された開口の内周と、その開口を開閉する蓋体の外周の対向面それぞれにヒンジ受け具を固定し、その一対のヒンジ受け具のガイド凹部にヒンジ片をスライド自在に挿入して、開閉具の全体が開口の内周と蓋体の外周間に形成された間隙内に納まる取付けとする。
【００１５】
上記のような蓋体の支持において、蓋体を上方に回動すると、蓋体の外周側面の上部が開口の内周面の上部に当接し、その当接状態から蓋体をさらに同方向に回動させると、一対のヒンジ片がヒンジ受け具のガイド凹部内でスライドし、蓋体を床板の上面に重なる位置まで開放させることができる。
【００１６】
このように、ヒンジの一対のヒンジ片はヒンジ受け具のガイド凹部においてスライド自在とされているため、開閉具の全体が開口の内周と蓋体の外周間に納まって歩行の障害となることのない安全で体裁のよい取付けでありながらも、蓋体を床板の上面に重なる位置まで開放させることができる。
【００１７】
ここで、支持板部の片面側に切り起こし抜止め片を設け、ヒンジ片には、その抜止め片が挿入される窓を形成し、その窓の上記抜止め片の先端と対向する内周一面が抜止め片の先端に当接する範囲内でヒンジ片をスライド自在とすることにより、ヒンジ片がガイド凹部から抜け出るのを防止することができ、一対のヒンジ受け具とヒンジを組付け状態に確実に保持することができる。
【００１８】
上記の課題を解決するために、この発明に係るウッドデッキにおいては、複数の根太を平行に配置して床下地を形成し、その床下地上に、前記根太に対して交差方向に長く延びる多数のデッキ材を、隣接するデッキ材間に間隔をおいて配置し、デッキ材のそれぞれ側部を前記根太に着脱自在に取付けたウッドデッキにおいて、前記隣接するデッキ材の対向部間に、上述の開閉具を、折り畳み状態とされたヒンジのヒンジ軸が上位に位置し、ヒンジの全体がデッキ材の上面から下方に位置するよう組込んで、一方のヒンジ受け具を一方のデッキ材の側面にねじ止めし、他方のヒンジ受け具を他方のデッキ材の側面にねじ止めした構成を採用したのである。
【００１９】
上記の構成からなるウッドデッキにおいては、デッキ材の一側部の固定を解除し、隣接するデッキ材の上面に向けて回動させることにより、そのデッキ材を隣接するデッキ材の上面に重なる位置まで開放させることができ、ウッドデッキの一部にデッキ材の幅寸法にほぼ対応する大きさの回収用空間を簡単に形成することができる。
【発明の効果】
【００２０】
上記のように、この発明に係る開閉具においては、ヒンジにおける一対のヒンジ片のそれぞれをヒンジ受け具のガイド凹部においてスライド自在としたことにより、ウッドデッキへの採用においては、隣接するデッキ材の対向間隙内に全体が納まって歩行の障害となることのない安全で体裁のよい取付けでありながらも、デッキ材を上方に回動させる簡単な操作により落下物の回収用空間を形成することができる。
【００２１】
また、床下収納庫の蓋体の開閉支持に際しては、開閉具の全体が床板に形成された開口の内周と蓋体の外周間に納まって歩行の障害となることのない安全で体裁のよい取付けでありながらも、蓋体を床板の上面に重なる位置まで開放させることができる。
【図面の簡単な説明】
【００２２】
【図１】この発明に係る開閉具を用いてウッドデッキのデッキ材を開閉自在に支持した状態の縦断正面図
【図２】図１の一部を拡大して示す断面図
【図３】図１のIII−III線に沿った断面図
【図４】図３のIV−IV線に沿った断面図
【図５】デッキ材の開放状態を示す斜視図
【図６】図５の正面図
【図７】図６のVII−VII線に沿った断面図
【図８】図６のVIII−VIII線に沿った断面図
【図９】ヒンジの他の例を示す縦断正面図
【図１０】図９に示すデッキ材の開放状態を示す断面図
【図１１】図９に示すヒンジの正面図
【図１２】ウッドデッキの縦断正面図
【図１３】図１２のXIII−XIII線に沿った断面図
【発明を実施するための形態】
【００２３】
以下、この発明の実施の形態を図面に基づいて説明する。図１は、この発明に係る開閉具５０を用いて、図１２に示すウッドデッキにデッキ材２１を開閉自在に支持した状態を示す。
【００２４】
このため、図１２に示すウッドデッキと同一の部品には同一の符号を付して説明を省略する。
【００２５】
図１に示すように、隣接するデッキ材２１の対向側部は根太１１で支持されて図１２に示す押え金具３１の取付けが省略されており、図に示されていない外側部においては、図１２に示す場合と同様に、押え金具３１により根太１１に押さえ込まれて非可動の支持とされている。
【００２６】
隣接するデッキ材１１の対向部間に組込まれた開閉具５０は、一対のヒンジ受け具６０と、その一対のヒンジ受け具に支持されるヒンジ７０とからなっている。
【００２７】
図３および図５に示すように、ヒンジ受け具６０は、帯状の支持板部６１の長さ方向の両端部に、その支持板部６１の片面側に向く一対の折曲げ片６２を設け、各折曲げ片６２のそれぞれ端部に外向きの取付片部６３を設け、その取付片部６３のそれぞれ下端に傾斜状の位置決め片部６４を設けた構成とされ、上記折曲げ片６２の形成によって支持板部６１の片面側にガイド凹部６５が設けられている。
【００２８】
実施の形態では、厚さ１ｍｍ程度の金属板をプレス成形してヒンジ受け具６０を形成しており、ガイド凹部６５の深さは、１．１ｍｍ程度とされている。
【００２９】
上記のヒンジ受け具６０は、取付片部６３に形成されたビス挿入孔６６に挿入するビス６７の締付けによって一対のデッキ材２１の側面に取付けられている。このとき、一対のヒンジ受け具６０は、位置決め片部６４がデッキ材２１の側面に形成された溝２２の傾斜状の上面２３に衝合する取付けとされる。また、一対のヒンジ受け具６０は、互いに対向する取付けとされ、その取付け状態において、一対のヒンジ受け具６０は一対のデッキ材２１の対向面間に形成された間隙内に全体が収容する取付けとされている。
【００３０】
支持板部６１には上向きコの字形切込み溝６８の内側部分を支持板部６１の片面側に折り曲げる切り起こし抜止め片６９が形成されている。
【００３１】
図１乃至図５に示すように、ヒンジ７０は、２枚のヒンジ片７１のそれぞれ一側部に１８０°の折曲げ部７２を形成して、その折曲げ部７２でヒンジ軸７３を保持し、上記折曲げ部７２に複数の切欠部７４を形成し、それぞれの切欠部７４に収容された扁平な筒体７５内に２本のヒンジ軸７３のそれぞれを挿通して、その２本のヒンジ軸７３を連結し、上記ヒンジ軸７３のそれぞれを中心にして２枚のヒンジ片７１を互いに重なる折り畳み状態と扁平に展開した状態との間で開閉自在とした２軸ヒンジからなっている。
【００３２】
ここで、ヒンジ片７１は、厚さ１ｍｍ程度の扁平な金属板からなり、その金属板の片面一側部に両端に至る深さ０．５ｍｍ程度の溝の形成によって薄肉部７６と、その薄肉部７６を長さ方向に複数に分断する複数の角孔とを形成し、上記薄肉部７６からの１８０°の折曲げによってφ１ｍｍのヒンジ軸７３を保持し、上記角孔によって切欠部７４を形成しており、上記ヒンジ片７１の折曲げ部での厚みは２ｍｍ程度とされている。
【００３３】
上記の構成からなるヒンジ７０は、ヒンジ受け具６０のガイド凹部６５内にヒンジ片７１をスライド自在に嵌合する組付けとされ、その組付け状態において、ヒンジ片７１のそれぞれに形成された窓７７内にヒンジ受け具６０の切り起こし抜止め片６９が挿入され、その切り起こし抜止め片６９の先端に対して窓７７の内周一辺が当接する範囲においてヒンジ片７１はスライド自在とされ、かつ、抜止めされている。
【００３４】
また、ヒンジ７０は、上部に配置されるヒンジ軸部がデッキ材２１の上面より下方に位置する組付けとされて、ウッドデッキ上での歩行の際につまずくことのない組付けとされている。
【００３５】
上記の構成からなる開閉具５０を図１２に示すウッドデッキに採用する場合は、複数のデッキ材２１を２枚１組とし、その組と成る２枚のデッキ材２１の内側面部を開閉具５０で連結し、各デッキ材２１の外側部を押え金具３１によって根太１１に固定する。
【００３６】
上記のような開閉具５０の取付け状態において、隣接するデッキ材２１の対向部間に形成された間隙から貴重品等が落下し、その貴重品等の落下物の回収に際しては、押え金具３１の取外しによってデッキ材２１の外側部の固定を解除した後、組となる一対のデッキ材２１の一方を他方のデッキ材２１の上面に重なる位置に向けて回動する。
【００３７】
いま、一方のデッキ材２１を上方に向けて回動すると、ヒンジ７０のヒンジ軸７３側の側部がデッキ材２１の上面より下方に配置されているため、一方のデッキ材２１が所定の角度まで回動されると、その一方のデッキ材２１の側面上部が他方のデッキ材２１の側面上部に当接する。
【００３８】
その当接状態から一方のデッキ材２１をさらに同方向に回動すると、一方のヒンジ片７１に引上げ力が負荷される。このとき、ヒンジ片７１のそれぞれはヒンジ受け具６０のそれぞれのガイド凹部６５内にスライド自在に挿入されているため、ヒンジ片７１のそれぞれが、ガイド凹部６５内でスライドし、図５乃至図７に示すように、一方のデッキ材２１を他方のデッキ材２１の上面に重なる位置まで回動させることができ、ウッドデッキにデッキ材２１の幅寸法に対応する回収空間を形成することができる。
【００３９】
このように、デッキ材２１の固定用の押え金具３１を取外し、一方のデッキ材２１を上方向に回動させる簡単な操作によって回収用空間を形成することができる。
【００４０】
また、開閉具５０は、図１に示すように、その全体が一対のデッキ材２１の対向面間に形成された間隙内に納まる取付けであるため、ウッドデッキ上での歩行の障害になるようなことはない。
【００４１】
なお、開放状態の一方のデッキ材２１を、その上面が他方のデッキ材２１の上面と同一面を形成する位置まで復帰回動させると、ヒンジ７０は自重により下降して、図１に示すように、全体がデッキ材２１の対向部に形成される間隙内に収容される状態に戻る。
【００４２】
図１乃至図７では、ヒンジ７０として、ヒンジ軸７３が２本とされた２軸ヒンジを示したが、ヒンジ７０は２軸ヒンジに限定されるものではない。例えば、図９乃至図１１に示すように、一側部に複数の円筒部８２を有する２枚のヒンジ片８１を、上記円筒部８２が直線に配置されるよう組み合わせ、その直線状配置の円筒部８２内にヒンジ軸８３を挿通して２枚のヒンジ片８１を開閉自在に連結した１軸ヒンジであってもよい。
【００４３】
上記１軸ヒンジ７０の採用においても、ヒンジ受け具６０のガイド凹部６５内にスライド自在に挿入されるヒンジ片８１のそれぞれに、切り起こし抜止め片６９が挿入される窓７７を形成しておくようにする。
【００４４】
ここで、図９は、１軸ヒンジ７０によって、一対のデッキ材２１を開閉自在に連結した状態を示し、図１０は、一方のデッキ材２１を他方のデッキ材２１の上面に重なる位置まで回動させた状態を示す。
【００４５】
実施の形態においては、開閉可能なデッキ材２１の一側部（回動側の一側部）を押え金具３１により固定するようにしたが、その回動側の側部下面に永久磁石を埋め込み、一方、根太１１の上面に磁性金属板を固定し、もしくは、根太そのものを金属製として、上記永久磁石の吸着により、デッキ材２１の回動側の側部を根太１１に対して着脱自在の取付けとしてもよい。また、回動中心側の側部下面にも永久磁石を埋め込み、その永久磁石の吸着により、デッキ材２１の回動中心側の側部も根太１１に対して着脱自在の取付けとしてもよい。
【００４６】
また、実施の形態においては、この発明に係る開閉具５０をウッドデッキのデッキ材２１の開閉用として使用したが、開閉具５０の使用はウッドデッキに限定されるものではない。例えば、床下収納庫の開口を開閉する蓋体の開閉支持用として、あるいは、天井点検口の点検蓋の支持用として用いるようにしてもよい。
【００４７】
床下収納庫の蓋体の支持に際しては、床板に形成された開口の内周と、その開口を開閉する蓋体の外周の対向面それぞれにヒンジ受け具６０を固定し、その一対のヒンジ受け具６０のガイド凹部６５にヒンジ７０のヒンジ片７１をスライド自在に挿入して、開閉具５０の全体が開口の内周と蓋体の外周間に納まる取付けとする。
【符号の説明】
【００４８】
１１  根太
２１  デッキ材
３１  押え金具
６０  ヒンジ受け具
６１  支持板部
６２  折曲げ片
６３  取付片部
６５  ガイド凹部
６９  切り起こし抜止め片
７０  ヒンジ
７１  ヒンジ片
７３  ヒンジ軸
７５  筒体
７７  窓
８１  ヒンジ片
８３  ヒンジ軸
【図１】
2011012400.tif 000003
【図２】
2011012400.tif 000004
【図３】
2011012400.tif 000005
【図４】
2011012400.tif 000006
【図５】
2011012400.tif 000007
【図６】
2011012400.tif 000008
【図７】
2011012400.tif 000009
【図８】
2011012400.tif 000010
【図９】
2011012400.tif 000011
【図１０】
2011012400.tif 000012
【図１１】
2011012400.tif 000013
【図１２】
2011012400.tif 000014
【図１３】
2011012400.tif 000015